(57)【要約】【課題】  小型かつ薄型であるとともに、片手であっても保持性、操作性に優れる電子機器を提供する。【解決手段】  表示装置１は、表示器２０を有する本体部２と、操作部３を有するグリップ部４を一体に形成したものである。グリップ部４は、内部に電池４０を収納する電池収納部４１を形成し、略円筒状に形成される。グリップ部４から本体部２の先端部２１にかけては、徐々に薄く形成し、グリップ部が重心を有するように構成する。操作部３は、グリップ部４を手で保持したときに、保持した手の指で操作できる位置にスイッチが配置されている。【選択図】    図１
2006094359.tif 000002
【特許請求の範囲】
【請求項１】
文字、静止画、動画等の画像を表示する表示部を備えた本体部と、
前記本体部を保持する保持部に設けられて前記画像の表示操作を行う操作部を有することを特徴とする表示装置。
【請求項２】
前記操作部は、前記表示部に給電する電源部を含むことを特徴とする請求項１記載の表示装置。
【請求項３】
前記操作部は、前記本体部を保持した状態で操作可能な複数のスイッチを前記表示部の一辺に沿って設けられていることを特徴とする請求項１記載の表示装置。
【請求項４】
文字、静止画、動画等の画像を表示する表示部を備えた本体部と、
前記本体部を保持する保持部に設けられて前記画像の表示操作を行う操作部と、
前記表示部を介して前記操作部の反対側に設けられて外部メモリを挿抜するメモリ挿入部とを有することを特徴とする表示装置。
【請求項５】
文字、静止画、動画等の画像を表示する表示部を備えた本体部と、
前記本体部を保持する保持部に設けられて前記画像の表示操作を行う操作部と、
前記表示部が設けられる前記本体部の厚さを前記操作部が設けられる部分の厚さより小にしたことを特徴とする表示装置。
【請求項６】
文字、静止画、動画等の画像を表示する表示部を備えた本体部と、
前記表示部に積層されて前記本体部に収容される回路部と、
前記表示部に給電する電源部と積層されて前記画像の表示操作を行う操作部を有することを特徴とする表示装置。
【発明の詳細な説明】
【技術分野】
【０００１】
本発明は、画像を表示する電子機器に関し、特に、小型かつ薄型であるとともに、片手であっても保持性、操作性に優れる電子機器に関する。
【背景技術】
【０００２】
従来、静止画、動画等の表示が可能で片手で操作可能な小型の機器として、例えば、グリップベルトを用いて片手で本体を保持するとともに、保持された手で撮影、ズーム等の各種操作を行なうビデオカメラ装置が知られている（例えば、特許文献１参照。）。
【０００３】
特許文献１に記載されたビデオカメラ装置は、グリップベルトに右手が差し込まれて把持部が包み込まれるようにして把持されることにより、右手の親指が電源／撮影スイッチに当てがわれるとともに、人指し指がズームレバーの指掛部に当てがわれる、また、把持部は、電池収納部の外周形状とカメラ本体の厚み寸法及びグリップカバーの構成によって右手でしっかりと保持される。
【特許文献１】特開平９−１６３１９９号公報（[００６１]、[００６２]、図６）
【発明の開示】
【発明が解決しようとする課題】
【０００４】
しかし、特許文献１のビデオカメラ装置によると、電源のほか種々の機構部の重量を片手で支えるのにグリップベルトの補助を必要とするため、手軽さに欠けるという問題がある。重量の大なる部材が把持部から離れるにつれて保持に力を要することとなり、グリップベルト等の補助が必要になる。
【０００５】
従って、本発明の目的は、小型かつ薄型であるとともに、片手であっても保持性、操作性に優れる電子機器を提供することにある。
【課題を解決するための手段】
【０００６】
本発明は、上記目的を達成するため、文字、静止画、動画等の画像を表示する表示部を備えた本体部と、前記本体部を保持する保持部に設けられて前記画像の表示操作を行う操作部を有することを特徴とする電子機器を提供する。
【０００７】
また、本発明は、上記目的を達成するため、文字、静止画、動画等の画像を表示する表示部を備えた本体部と、前記本体部を保持する保持部に設けられて前記画像の表示操作を行う操作部と、前記表示部を介して前記操作部の反対側に設けられて外部メモリを挿抜するメモリ挿入部とを有することを特徴とする電子機器を提供する。
【０００８】
また、本発明は、上記目的を達成するため、文字、静止画、動画等の画像を表示する表示部を備えた本体部と、前記本体部を保持する保持部に設けられて前記画像の表示操作を行う操作部と、前記表示部が設けられる前記本体部の厚さを前記操作部が設けられる部分の厚さより小にしたことを特徴とする電子機器を提供する。
【０００９】
また、本発明は、上記目的を達成するため、文字、静止画、動画等の画像を表示する表示部を備えた本体部と、前記表示部に積層されて前記本体部に収容される回路部と、前記表示部に給電する電源部と積層されて前記画像の表示操作を行う操作部を有することを特徴とする電子機器を提供する。
【発明の効果】
【００１０】
本発明の電子機器によれば、小型かつ薄型であるとともに、片手であっても優れた保持性、操作性を付与することができる。
【発明を実施するための最良の形態】
【００１１】
［第１の実施の形態］
図１（ａ）は、本発明の第１の実施の形態に係る電子機器としての表示装置の斜視図であり、（ｂ）はカーソルキーの拡大図、図２（ａ）は左側面図、（ｂ）は底面図である。この表示装置１は、表示器２０を有する本体部２と、操作部３を有する把持部としてのグリップ部４とを一体的に形成したものである。
【００１２】
本体部２は、その表面に文字、静止画、動画等の表示画像を表示する表示器２０と、グリップ部４と反対側の先端部２１にＳＤメモリカード等のメモリカード２３を挿入するメモリカードスロット２２とを備える。本体部２は、金属からなり、グリップ部４の厚みを持つ部分から徐々に薄くなるように形成され、グリップ部４の底面側から本体部２の下部にかけて凸状部２５が形成され、この中に回路基板５が収納される。凸状部２５の両側は平坦部２ａを形成し、凸状部２５よりも薄く形成されている。
【００１３】
グリップ部４は、略円筒形をなしており、内部に電池４０を収納する電池収納部４１と、各種操作を行う複数のスイッチを有する操作部３と、底面に設けられて音声を出力するスピーカ２４と、ヘッドホン端子部３６とを備える。
【００１４】
電池４０および電池収納部４１は、電源部９を構成する。ここで、電池４０は、アルカリ乾電池、マンガン乾電池、リチウムイオン電池等各種の電池を使用することができる。
【００１５】
表示器２０は、有機ＬＥＤ等からなるが、これに限定されるものではない。例えば、液晶ディスプレイであっても良く、モノクロのほかカラーを表示できるものであっても良い。
【００１６】
操作部３は、電池収納部４１と表示器２０との間に配置されており、電源をオンオフする電源スイッチ３０と、メニュー画面を表示させるメニューキー３１と、カーソル移動や画面のスクロールを行うカーソルキー３２と、カーソルにより選択した項目、動作等を決定する決定スイッチ３３と、画像を早送りする早送りスイッチ３４と、画像を早戻しする早戻しスイッチ３５とをを有し、グリップ部４を手で保持した状態で親指による操作が容易に行えるようになっている。
【００１７】
メニューキー３１は、表示器２０に表示される画像の輝度、コントラスト等の調整のほか、初期設定等の各種メニューを表示器２０に表示させる。
【００１８】
カーソルキー３２は、決定スイッチ３３を斜めに押圧することにより、押圧した方向にカーソルを動かすことができるように構成されている。
【００１９】
決定スイッチ３３は、鉛直方向に押下されることによって選択された動作、メニューを実行させる。
【００２０】
図３は、表示装置の回路構成例を示すブロック図である。この表示装置１は、電源をオンオフする電源スイッチ３０等を有する操作部３と、メモリカードスロット２２に挿入されるメモリカード２３と、メモリカード２３に記憶された情報のうち画像信号を取り出して表示器２０に出力する画像処理部６０と、メモリカード２３に記憶された情報のうち音声信号を取り出してスピーカ２４あるいはヘッドホン端子部３６に出力する音声処理部６１と、操作部３の各キーの押下に基づく動作プログラムを記憶しているＲＯＭ６３と、各処理段階で必要に応じてデータ等を記憶するＲＡＭ６２と、各部を制御するＣＰＵ６と、ＣＰＵ６を介して各部に電源を供給する電源部９とを備える。
【００２１】
操作部３は、電源スイッチ３０、メニューキー３１、カーソルキー３２、決定スイッチ３３、早送りスイッチ３４、早戻しスイッチ３５とを備える。
【００２２】
（第１の実施の形態の動作）
この表示装置１の動作を説明する。ここで、メモリカードスロット２２内にメモリカード２３が挿入されているものとする。まず、ユーザは、操作部３の電源スイッチ３０を押下すると、制御部６はＲＯＭ６３から初期画面に必要な動作プログラムを読み出し、初期画面を表示器２０に表示させる。ユーザは、メニューキー３１およびカーソルキー３２により必要な画面を選択し、カーソルキー３２を目的の動作の項目に合わせ、決定スイッチ３３を押下し、目的の画面を表示器２０に表示させる。次に、その画面でカーソルを必要な動作項目に移動させ、決定スイッチ３３を押下してその動作を開始させる。画像処理部６０は、メモリカード２３に記憶されている画像、動画、音楽等のデータのうち画像または動画データを表示器２０で表示することができる信号に変換し、表示器２０に出力する。また音声信号は、音声処理部６１によりスピーカ２４またはヘッドホンにより可聴できる信号に変換され、スピーカ２４等に出力される。また、必要に応じて早送りスイッチ３４、早戻しスイッチ３５とを用いる。
【００２３】
図４（ａ）は、右手でグリップ部４を保持し、左手で表示器の先端部を保持した状態であり、（ｂ）は表示器の表示画像を１８０度回転した状態、（ｃ）は左手でグリップ部を保持し、右手で先端部を保持した状態を示す説明図である。
【００２４】
前述のように、表示器２０に表示画像７を表示させるとき、グリップ部４を右利きの人は右手８Ｂで保持し、先端部２１を左手８Ａで保持する。この状態から電源スイッチをオンとし、次いで必要な操作部３の各種スイッチを親指で押下する。表示画像７は、ユーザ側からは、画像の反転等のない状態で表示される。
【００２５】
表示器２０に表示されている画像を、例えば、ユーザに相対して座っている人に見せたい場合、操作部３のあるスイッチ、例えば、カーソルキー３２を長めに押すことにより、表示器２０が表示する画像を水平方向に１８０°回転させる。この表示器２０を平坦な部材の上に載置すると、ユーザには表示画像７が上下反転して見えるが、相対する人は、天地や左右が逆さまになることなく図４（ａ）の表示画像７のように見える。
【００２６】
また、左手が利き腕の人は、グリップ部４を右手で保持すると、操作部３を操作し難いので、メニュースイッチ３１を操作して「利き腕選択モード」を表示させ、「左手」を選択することにより、表示画像７は図４（ｂ）に示すように表示される。すなわち、グリップ部４を左手で保持したときに表示画像７が図４（ｃ）に示すように正常な方向で表示されるようになり、操作部３を左手の親指で操作できるようになる。
【００２７】
図５は、表示装置１を縦型として使用する場合の説明図である。この表示装置１を横長で使用すると、利き腕が右利きと左利きとでは、グリップ部４を保持する手を変えたが、縦型として使用する場合は、グリップ部４を両手で保持することとなるので、利き腕に左右されないで使用することができる。また、縦方向に長い画像等を表示する場合に画像の上端が表示されないことを防げる。
【００２８】
（第１の実施の形態の効果）
第１の実施の形態によれば、以下の効果を奏することができる。
（イ）グリップ部４が略円筒形であるため、片手で保持しやすくなっている。
（ロ）グリップ部側に電池等の重い部品を集中しているため、片手で持ったときの重量バランスが良好で、長時間保持していても疲れにくい。
（ハ）回路基板を表示器の下側に収納することにより、側面を薄くすることができ、全体的に薄いイメージおよびスタイリッシュなイメージをユーザあるいは第三者に与える。
（ニ）操作部３がグリップ部４に集中しているため、片手で操作が可能である。
（ホ）利き腕が逆の人でも、利き腕側の操作が容易にできるように表示画像を反転することができる。
（ヘ）メモリカードスロットがグリップ部４と逆の先端部２１に設けたので、メモリカードの挿脱が容易となる。
【００２９】
［第２の実施の形態］
図６は、第２の実施の形態に係る電子機器としての表示装置の斜視図である。以下の説明において、第１の実施の形態と同一の構成および機能を有する部分については共通の符号を付している。この表示装置１は、均一な薄さを有しており、本体部２の上方に画像を表示する表示器２０と、スイッチにより各種操作を行う操作部３と、可聴信号が出力される音声出力部２４Ａとを備える。
【００３０】
操作部３は、電源をオンオフする電源スイッチ３０と、メニュー画面を表示させるメニューキー３１と、カーソル移動や画面のスクロールを行うカーソルキー３２と、カーソルにより選択した項目、動作等を決定する決定スイッチ３３と、画像を早送りする早送りスイッチ３４と、画像を早戻しする早戻しスイッチ３５とを備える。カーソルキー３２は、カーソル移動キー３２Ａ，３２Ｂ，３２Ｃ，３２Ｄに分割されている。
【００３１】
図７は、第２の実施の形態に係る表示装置の概略構成図であり、図８は、同じく側面から見た概略図である。この表示装置１は、金属製の蓋部２Ａと金属製の筐体２Ｂからなる本体部２の内部に表示器２０と、バッテリ等の電源部９と、操作部３と、回路部品５Ａが搭載された回路基板５と、メモリカードスロット２２と、ヘッドホン端子部３６および電源端子３７を有する汎用ジャック部３８とを備えている。
【００３２】
ここで、電源部９や表示器２０等の、厚みを有し比較的大きい部品は、それらが重複しないように配置され、また、電源部９のように比較的大きく重い部品は、手で保持する部位の近くに配置し、重心が手で保持する部位に存在するように構成する。
【００３３】
また、操作部３は、電源部９の上に載置するように配置され、操作部３の支持体として電源部５を用いる。電源部５は、操作部３に対するユーザの操作に耐えうる機械的強度を有して構成されている。
【００３４】
電源部９と表示器２０との間には、音声出力部２４Ａから音声を出力するスピーカ２４が配置されている。スピーカ２４は、表示器２０および操作部３の上面より低い位置に配置されることによって本体部２の厚みの増大を抑制している。
【００３５】
また、電源部９と表示器２０との間は、電源部９や表示器２０等の、厚みを有し比較的大きい部品の実装用の空間を設けて汎用ジャック部８を配置するとともに、薄さを確保している。
【００３６】
図９は、第２の実施の形態に係る表示装置の回路構成例を示すブロック図である。ここで、第１の実施の形態に係る表示装置１とは、アンテナ９１からテレビジョン信号を入力して画像信号および音声信号を画像処理部６０および音声処理部６１に出力するＴＶ機能部９０を有する点が異なる。
（第２の実施の形態の効果）
第２の実施の形態によれば、下記の効果を奏する。
（イ）電源部９や表示器２０等の厚みを有し、比較的大きい部品を重複しないように配置したため、筐体を薄くすることができる。
（ロ）この表示装置１の手元部分に重心がくるように部品を配置したため、重量バランスが良好となり、手による保持が容易となる。
（ハ）スピーカ２４を筐体内部の空間に配置するため、厚さを増加することなく、良好な音声信号を出力することができる。
（ニ）比較的大型の部品間に汎用品を使用できるので、部品の入手が容易であるとともに装置コストを低減することができる。
【図面の簡単な説明】
【００３７】
【図１】本発明の第１の実施の形態に係る電子機器としての表示装置を示し、（ａ）は斜視図であり、（ｂ）はカーソルキーの拡大図である。
【図２】本発明の第１の実施の形態に係る電子機器としての表示装置を示し、（ａ）は左側面図、（ｂ）は底面図である。
【図３】表示装置の回路構成例を示すブロック図である。
【図４】本発明の第１の実施の形態に係る表示装置の使用状態を示し、（ａ）は、右手でグリップ部４を保持し、左手で表示器の先端部を保持した状態であり、（ｂ）は表示器の表示画像を１８０度回転した状態、（ｃ）は左手でグリップ部を保持し、右手で先端部を保持した状態を示す説明図である。
【図５】表示装置１を縦型として使用する場合の説明図である。
【図６】第２の実施の形態に係る電子機器としての表示装置の斜視図である。
【図７】第２の実施の形態に係る表示装置の概略構成図である。
【図８】第２の実施の形態に係る表示装置の側面から見た概略構成図である。
【図９】第２の実施の形態に係る表示装置の回路構成例を示すブロック図である。
【符号の説明】
【００３８】
１…表示装置、２…本体部、２Ａ…蓋部、２Ｂ…筐体、２ａ…平坦部、３…操作部、４…グリップ部、５…回路基板、５Ａ…回路部品、７…表示画像、８Ａ…左手、８Ｂ…右手、９…電源部、２０…表示器、２１…先端部、２２…メモリカードスロット、２３…メモリカード、２４…スピーカ、２４Ａ…音声出力部、２５…凸状部、３０…電源スイッチ、３１…メニューキー、３２…カーソルキー、３２Ａ，３２Ｂ，３２Ｃ，３２Ｄ…カーソル移動キー、３３…決定スイッチ、３４…早送りスイッチ、３５…早戻しスイッチ、３６…ヘッドホン端子部、３７…電源端子、３８…汎用ジャック部、４０…電池、４１…電池収納部、６０…画像処理部、６１…音声処理部、９０…機能部、９１…アンテナ
【図１】
2006094359.tif 000003
【図２】
2006094359.tif 000004
【図３】
2006094359.tif 000005
【図４】
2006094359.tif 000006
【図５】
2006094359.tif 000007
【図６】
2006094359.tif 000008
【図７】
2006094359.tif 000009
【図８】
2006094359.tif 000010
【図９】
2006094359.tif 000011